(57)【要約】【課題】各居室のインターホン親機同士の接続は、親機と切り離したターミナルユニットを用いて行ない、結線状態を維持したまま必要に応じターミナルユニットのみ外すことができるインターホン装置を提供する。【解決手段】玄関子機と、居室に設けられて幹線経路を介して玄関子機から呼び出され玄関子機と相互に通話する複数のインターホン親機１とを備えたインターホン装置であって、インターホン親機間を渡り配線で結線し幹線経路を形成するためのターミナル端子３１とターミナル端子を実装して渡り配線による幹線経路の電気的接続を行なうターミナル基板から構成されるターミナルユニット２を備え、インターホン親機の背面１３でＣＲＴモジュールの背面に生じるスペースにターミナルユニットを着脱自在に装着するための装着部６０を配置する。【選択図】図２
2004007061.tif 000002
【特許請求の範囲】
【請求項１】
玄関に設けられた１台あるいは複数の玄関子機（９）と、居室に設けられて幹線経路を介して前記玄関子機から呼び出され前記玄関子機と相互に通話する複数のインターホン親機（１）とを備えたインターホン装置であって、
前記インターホン装置は、複数のインターホン親機間を渡り配線にて結線し前記幹線経路を形成するためのターミナル端子（３１）、前記ターミナル端子を実装して前記渡り配線による前記幹線経路の電気的接続を行なうターミナル基板（３０）から構成されるターミナルユニット（２）を備え、
前記インターホン親機は、前記ターミナルユニットを着脱自在に装着するための装着部（６０）を有することを特徴とするインターホン装置。
【請求項２】
前記装着部は、前記インターホン親機の背面（１３）に設けることを特徴とする請求項１記載のインターホン装置。
【請求項３】
前記装着部は、前記玄関子機のカメラ（９１）で撮像された映像を映し出すモニタとしてのＣＲＴモジュール（５０）の背面に生じるスペース（５１）に配置することを特徴とする請求項１または請求項２記載のインターホン装置。
【請求項４】
前記ターミナルユニットは、前記インターホン親機の装着部に設けられたガイド溝（６１）に挿入する突起部（２２）を備え、前記インターホン親機は、前記ターミナルユニットの挿入方向と直交する方向へ移動させることにより前記ターミナル端子、前記ターミナル基板を覆う前記ターミナルユニットのターミナル外郭ケース（２１）の端面が係合して前記ターミナルユニットをインターホン親機に嵌合する係止部（６２）を有することを特徴とする請求項１乃至請求項３何れか１項記載のインターホン装置。
【請求項５】
前記嵌合動作と同時に、前記ターミナル基板に設けられたコネクタ（３３）と前記インターホン親機内部のメイン基板（４０）上に設けられたハウジング（４１）とを挿着して電気的接続を行うことを特徴とする請求項４記載のインターホン装置。
【請求項６】
前記装着部に、前記インターホン親機と前記ターミナルユニット間の電気的接続を行なうリード線（３５）を前記ターミナルユニット下側で収納する収納部（６３）を設けたことを特徴とする請求項１乃至請求項５何れか１項記載のインターホン装置。
【請求項７】
前記ターミナル外郭ケースに、前記インターホン親機から引き出されたリード線を案内して前記収納部に収納するためのリード線案内部（２４）を設けたことを特徴とする請求項６記載のインターホン装置。
【請求項８】
前記ターミナルユニットを前記インターホン親機の内方に押し込むことにより前記ターミナルユニットの前記ターミナル外郭ケースを嵌合させるための係止部（１６）を有することを特徴とする請求項１乃至請求項３または請求項５乃至請求項７何れか１項記載のインターホン装置。
【請求項９】
前記インターホン親機を壁に取り付ける壁掛け金具（８０）の開口部（８１）に前記ターミナルユニットに設けた係止部（２３）によって前記ターミナルユニットを装着し、
前記インターホン親機は、前記壁掛け金具に装着された前記ターミナルユニットを収納する収納スペース（６０ａ）を有することを特徴とする請求項１乃至請求項３何れか１項記載のインターホン装置。
【請求項１０】
前記インターホン親機内に設けられたメイン基板（４０）上に配置されたハウジング（４１）と、前記ターミナルユニット内に設けられた前記ターミナル基板上に配置されたコネクタ（３３）とを挿着して電気的接続を行なうことを特徴とする請求項９記載のインターホン装置。
【請求項１１】
前記ターミナル外郭ケースを、前記インターホン親機の外郭の一部として使用することを特徴とする請求項４乃至請求項１０何れか１項記載のインターホン装置。
【請求項１２】
前記ターミナルユニットの前記ターミナル端子を前記インターホン親機の側面に取り付けることにより前記幹線経路の渡り配線を露出配線とすることを特徴とする請求項１記載のインターホン装置。
【発明の詳細な説明】
【０００１】
【発明の属する技術分野】
本発明は、インターホン装置に係わり、インターホン親機より分離可能なターミナルユニットを有するインターホン装置に関する。
【０００２】
【従来の技術】
従来、玄関に設けられた１台あるいは複数の玄関子機と、居室に設けられて幹線経路を介して玄関子機から呼び出され玄関子機と相互に通話する複数のインターホン親機とを備えたインターホン装置（図１参照）においては、インターホン親機の背面に配置された機器内部の基板と電気的に接続された端子台はインターホン親機と一体で構成されている。
【０００３】
このような従来のインターホン装置におけるインターホン親機の施工は、玄関子機あるいは居室からきた配線をインターホン親機の背面にある端子台に直接接続をして次の居室のインターホン親機へと、各居室のインターホン親機同士を順次接続していくものである。
【０００４】
【発明が解決しようとする課題】
上記従来のインターホン装置のインターホン親機では、インターホン親機本体が設置場所にないと施工を行なうことができないという難点がある。また、結線時の作業においてインターホン親機本体を扱うため、結線がしづらく、不注意に機器を落下破損させるおそれがある。また、インターホン親機が破損したり、動作不良があって保守が必要な場合には、インターホン親機の結線を外さなければならないが、１台のインターホン親機を幹線より外すことによってインターホン装置全体が停止してしまうという難点がある。
【０００５】
さらに、施工後入居するまでの間はインターホン親機本体を移動できないため設置場所において汚れてしまう難点があり、また施工後入居するまでの間に設置現場においてインターホン親機が盗難にあう虞がある。
【０００６】
本発明は、これらの難点を解決するためになされたもので、各居室のインターホン親機同士の接続はターミナルユニットを用いて行い、結線状態をそのままにして必要に応じターミナルユニットのみ外すことができるインターホン装置を提供することを目的とする。
【０００７】
【課題を解決するための手段】
この目的を達成するため、本発明のインターホン装置は、玄関に設けられた１台あるいは複数の玄関子機と、居室に設けられて幹線経路を介して玄関子機から呼び出され玄関子機と相互に通話する複数のインターホン親機とを備えたインターホン装置であって、インターホン装置は、複数のインターホン親機間を渡り配線にて結線し幹線経路を形成するためのターミナル端子、ターミナル端子を実装して渡り配線による幹線経路の電気的接続を行なうターミナル基板から構成されるターミナルユニットを備え、インターホン親機は、ターミナルユニットを着脱自在に装着するための装着部を有するものである。
【０００８】
また、本発明のインターホン装置では、装着部は、インターホン親機の背面に設けるものである。
【０００９】
さらに、本発明のインターホン装置では、装着部は、玄関子機のカメラで撮像された映像を映し出すモニタとしてのＣＲＴモジュールの背面に生じるスペースに配置するものである。
【００１０】
また、本発明のインターホン装置では、ターミナルユニットは、インターホン親機の装着部に設けられたガイド溝に挿入する突起部を備え、インターホン親機は、ターミナルユニットの挿入方向と直交する方向へ移動させることによりターミナル端子、ターミナル基板を覆う前記ターミナルユニットのターミナル外郭ケースの端面が係合してターミナルユニットをインターホン親機に嵌合する係止部を有するものである。
【００１１】
また、本発明のインターホン装置は、嵌合動作と同時に、ターミナル基板に設けられたコネクタとインターホン親機内部のメイン基板上に設けられたハウジングとを挿着して電気的接続を行うものである。
【００１２】
また、本発明のインターホン装置では、装着部に、インターホン親機とターミナルユニット間の電気的接続を行なうリード線をターミナルユニット下側で収納する収納部を設けたものである。
【００１３】
さらに、本発明のインターホン装置では、ターミナル外郭ケースに、インターホン親機から引き出されたリード線を案内して収納部に収納するためのリード線案内部を設けたものである。
【００１４】
また、本発明のインターホン装置では、ターミナルユニットをインターホン親機の内方に押し込むことによりターミナルユニットのターミナル外郭ケースを嵌合させるための係止部を有するものである。
【００１５】
さらに、本発明のインターホン装置では、インターホン親機を壁に取り付ける壁掛け金具の開口部にターミナルユニットに設けた係止部によってターミナルユニットを装着し、インターホン親機は、壁掛け金具に装着されたターミナルユニットを収納する収納スペースを有するものである。
また、本発明のインターホン装置では、インターホン親機内に設けられたメイン基板上に配置されたハウジングと、ターミナルユニット内に設けられたターミナル基板上に配置されたコネクタとを挿着して電気的接続を行なうものである。
【００１６】
さらに、本発明のインターホン装置では、ターミナル外郭ケースを、インターホン親機の外郭の一部として使用するものである。
【００１７】
また、本発明のインターホン装置では、ターミナルユニットのターミナル端子をインターホン親機の側面に取り付けることにより幹線経路の渡り配線を露出配線とするものである。
【００１８】
このようなインターホン装置によれば、ターミナル部をユニット化し、インターホン親機からターミナルユニットを着脱可能としたので、インターホン親機に不具合があってインターホン装置から外しても装置全体が停止することはない。また、インターホン装置からインターホン親機を外しておくことができるので、施工後入居までの間のインターホン親機の盗難被害を防止できる。
【００１９】
【発明の実施の形態】
以下に本発明のインターホン装置をその好ましい実施の形態例について図面を参照して詳述する。
【００２０】
本発明のインターホン装置は、図１に示すように、玄関に設けられた１台あるいは複数の玄関子機９と、居室に設けられて幹線経路を介して玄関子機９から呼び出され玄関子機９と相互に通話する複数のインターホン親機１、１、…と、玄関子機９のカメラ９１およびインターホン親機１、１、…に電源を供給しカメラ９１からの映像信号を増幅する映像バスコントロ−ラ７を備え、複数のインターホン親機１、１、…は渡り配線にて結線されている。
【００２１】
図２に示すように、このインターホン装置では、インターホン親機１にターミナルユニット２が装着される構造であって、図２、図４（ａ）、（ｂ）に示すように、ターミナルユニット２は、幹線経路を形成するためのターミナル端子３１、ターミナル端子３１を実装して渡り配線による幹線経路の電気的接続を行なうターミナル基板３０から構成され、図２に示すように、インターホン親機１は、ターミナルユニット２を着脱自在に装着するための装着部６０をインターホン親機１の背面１３に設けている。
【００２２】
インターホン親機１の背面１３に設けられる装着部６０は、図３、図５に示すように、玄関子機１のカメラ９１（図１参照）で撮像された映像を映し出すモニタとしてのＣＲＴモジュール５０の背面に生じる裏ケース１２側のスペース５１に配置すると空きスペースが利用できるので好適となる。
【００２３】
図２、図４（ａ）、（ｂ）に示すように、ターミナルユニット２は、インターホン親機１の装着部６０に設けられた複数個のガイド溝６１、６１、…に挿入する複数個の突起部２２、２２、…を備え、インターホン親機１は、ターミナルユニット２を挿入方向と直交する方向へ移動させることによりターミナル端子３１、ターミナル基板３０を覆うターミナルユニット２のターミナル外郭ケース２１の端面が係合してターミナルユニット２をインターホン親機１に嵌合する係止部６２を有している。
【００２４】
ここで、ターミナルユニット２をインターホン親機１の装着部６０に装着するにあたって、スライド式に固定する場合について説明する。
【００２５】
図２に示すように、インターホン親機１の装着部６０にターミナルユニット２を装着しながらスライド方向へ移動させることにより、ターミナルユニット２のターミナル外郭ケース２１の端面が係止部６２に嵌合されるとともに、ターミナルユニット２の突起部２２（図４（ａ））がインターホン親機１のガイド溝６１と嵌め合わされることによって嵌合固定される。
【００２６】
また、上述のターミナルユニット２とインターホン親機１の嵌合と同時に、図６に示すように、ターミナルユニット２のターミナル基板３０に設けられたコネクタ３３とインターホン親機１のメイン基板４０上に設けられたハウジング４１とを挿着して電気的接続が行なわれる。
【００２７】
なお、電気的接続を行なう他の方式として、図２、図１０に示すように、ターミナルユニット２の脱着時にインターホン親機１から引き出されるために必要充分な長さのリード線３５を、ターミナルユニット２の下側で収納するよう装着部６０に設けた収納部６３に収納し、さらにインターホン親機１とターミナルユニット２間の電気的接続を行なうリード線３５をリード線案内部２４（図４（ｂ）参照）を通してからターミナルユニット２に設けたターミナル外郭ケース２１に結線するようにしてもよい。この場合、結線後はターミナルユニット２の下にリード線３５を収納できるとともにリード線案内部２４を通しているので、リード線３５が束ねられてリード線３５の収納処理が確実・容易になる。
【００２８】
次に、ターミナルユニット２をインターホン親機１の装着部６０に装着するにあたって、押し込み式に固定する場合を説明する。
【００２９】
図７に示すように、インターホン親機１の装着部６０にターミナルユニット２を固定するための端部に内向きの爪１６ａを有する係止部１６を設け、ターミナルユニット２をインターホン親機１の機器内部方向に押し込むことにより、係止部１６が撓み、ターミナル外郭ケース２１は係止部１６に嵌着され、内向きの爪１６ａにより脱抜を阻まれ、ターミナルユニット２をインターホン親機１に確実に固定することができる。
【００３０】
次に、他の実施例として、インターホン親機１を壁に取り付ける際、ターミナルユニット２とインターホン親機１とを装着する構造について説明する。
【００３１】
図８に示すように、インターホン親機１にターミナルユニット２を収納する収納スペース６０ａを設け、ターミナルユニット２の端部には外向きの爪で構成される係止部２３を設け、壁掛け金具８０の開口部８１にターミナルユニット２を装着し、ターミナルユニット２の係止部２３を壁掛け金具８０の開口部８１に係止させている。
【００３２】
なお、施工時などではインターホン親機１を取付けずに、とりあえず結線のみしておくことがあるが、この場合、ターミナルユニット２を保管する場所として、壁掛金具８０の開口部８１にターミナルユニット２に設けた係止部２３を用いて装着しておく。この状態であればターミナルユニット２が壁に固定された状態で保管することができる。その後、本格的にインターホン親機１を取り付け、容易にターミナルユニット２を装着することができる。
【００３３】
また、図８に示すように、インターホン親機１内に設けられたメイン基板４０上に配置されたコネクタハウジング４１と、ターミナルユニット２内に設けられたターミナル基板３０に配置されたコネクタ３３とを挿着して電気的接続を行なうことも可能となる。
【００３４】
なお、上記実施例では、ターミナルユニット２と壁掛金具８０とを別体のものとして説明したが、一体にしても同様の効果を有するものである。
【００３５】
さらに、図９（ａ）、（ｂ）に示すように、ターミナル外郭ケース２１を、インターホン親機１の外郭の一部として使用することができる。この場合、ターミナルユニット２のターミナル端子３１をインターホン親機１の側面に取り付けることにより、幹線経路の渡り配線を露出配線とすることができるようになる。
【００３６】
【発明の効果】
以上の説明から明らかなように、本発明のインターホン装置によれば、ターミナル部をユニット化することにより、インターホン親機からターミナルユニットを着脱可能としたので、インターホン親機に不具合があって装置から外しても装置全体が停止することはない。また、施工後入居までの間、インターホン親機を外しておくことができるので施工後のインターホン親機の盗難被害を防止できる。
【図面の簡単な説明】
【図１】インターホン装置の構成を説明する図である。
【図２】本発明に係わるインターホン装置のインターホン親機１の背面とターミナルユニット２の説明図である。
【図３】本発明のインターホン装置のインターホン親機１の内部構造で、ＣＲＴモジュール搭載状態を示すである。
【図４】本発明のインターホン装置のターミナルユニットの裏面説明図で、（ａ）はターミナル基板および突起部を示し、（ｂ）はリード線案内部を示す図である。
【図５】本発明のインターホン装置のインターホン親機１の内部構造で、図３の状態からＣＲＴモジュールを外した図である。
【図６】本発明のインターホン装置におけるインターホン親機とターミナルユニットの接続の説明図である。
【図７】本発明のインターホン装置におけるインターホン親機とターミナルユニットの接続の他の実施例を説明する図である。
【図８】本発明のインターホン装置における壁面取り付け例を説明する図である。
【図９】本発明のインターホン装置におけるインターホン親機とターミナル外郭ケースの一例を示し、（ａ）は正面図、（ｂ）は側断面を示す図である。
【図１０】本発明のインターホン装置におけるリード線およびその収納部を説明する図である。
【符号の説明】
１…インターホン親機
１３…（インターホン親機の）背面
１６…（インターホン親機に設けた）係止部
２…ターミナルユニット
２１…ターミナル外郭ケース
２２…突起部
２３…（ターミナルユニットに設けた）係止部
２４…リード線案内部
３０…ターミナル基板
３１…ターミナル端子
３３…コネクタ
３５…リード線
４０…メイン基板
４１…ハウジング
５０…ＣＲＴモジュール
５１…スペース
６０…装着部
６０ａ…収納スペース
６１…ガイド溝
６２…（装着部に設けた）係止部
６３…収納部
８０…壁掛け金具
８１…開口部
９…玄関子機
９１…カメラ
【図１】
2004007061.tif 000003
【図２】
2004007061.tif 000004
【図３】
2004007061.tif 000005
【図４】
2004007061.tif 000006
【図５】
2004007061.tif 000007
【図６】
2004007061.tif 000008
【図７】
2004007061.tif 000009
【図８】
2004007061.tif 000010
【図９】
2004007061.tif 000011
【図１０】
2004007061.tif 000012
【手続補正書】
【提出日】平成14年9月27日(2002.9.27)
【手続補正１】
【補正対象書類名】図面
【補正対象項目名】全図
【補正方法】変更
【補正の内容】
【図１】
2004007061.tif 000013
【図２】
2004007061.tif 000014
【図３】
2004007061.tif 000015
【図４】
2004007061.tif 000016
【図５】
2004007061.tif 000017
【図６】
2004007061.tif 000018
【図７】
2004007061.tif 000019
【図８】
2004007061.tif 000020
【図９】
2004007061.tif 000021
【図１０】
2004007061.tif 000022